【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
放射線の照射により電荷を得る複数の画素が配置された放射線センサの制御装置であって、
放射線の照射に応じて撮像を開始するための駆動を実行させるとともに、前記駆動の開始から第一の時間が経過することに応じて前記駆動を中止する制御手段と、
外部から所定の指示信号を受け取る受信手段と、を有し、
前記制御手段は、前記所定の指示信号の受信に応じて,前記第一の時間と前記駆動の実行開始から所定の指示信号を受け取るまでの第二の時間との差分に基づき前記放射線センサの状態を制御するように構成されていることを特徴とする制御装置。
【請求項２】
前記制御手段は、前記撮像を開始するための駆動として、電荷読み捨て駆動を実行させることを特徴とする請求項１に記載の制御装置。
【請求項３】
前記放射線センサは、光電変換素子と前記光電変換素子の一端に接続するスイッチング素子とを有する前記画素が行列状に配置されており、かつ前記光電変換素子からの電気信号を読み出す信号線を有し、
前記制御手段は、前記撮像を開始するための駆動として、前記スイッチング素子を行ごとに順次選択的にオン状態とすることにより前記信号線を介して前記画素の電気信号を出力することを特徴とする請求項１または２に記載の制御装置。
【請求項４】
前記放射線センサは、光電変換素子と前記光電変換素子の一端に接続するスイッチング素子とを有する前記画素が行列状に配置されており、かつ前記光電変換素子からの電気信号を読み出す信号線と、前記光電変換素子の他端に接続し前記放射線センサに対する放射線の照射を検知する検知部と、を更に有し、
前記制御手段は、前記撮像を開始するための駆動として、前記スイッチング素子を行ごとに順次選択的にオン状態とすることにより前記信号線を介して前記画素の電気信号を出力する駆動を実行し、
前記検知部は、前記撮像を開始するための駆動を実行中に前記検知部に入力された電気信号に基づいて前記放射線センサに対する放射線の照射を検知することを特徴とする請求項１または２に記載の制御装置。
【請求項５】
前記受信手段は、放射線撮影を実行するための第一の画面が表示部に表示されている状態で、前記第一の画面とは異なる第二の画面の表示を指示するためのボタンの押下に応じて出力される信号を受信し、
前記制御手段は、前記信号の受信に応じて前記放射線センサの状態を制御することを特徴とする請求項１に記載の制御装置。
【請求項６】
前記受信手段は、放射線撮影を実行するための第一の画面が表示部に表示されている状態で、前記第一の画面とは異なる第二の画面の表示を指示するためのボタンの押下に応じて出力される信号を受信し、
前記制御手段は、前記信号の受信に応じて前記駆動を中止させることを特徴とする請求項１に記載の制御装置。
【請求項７】
前記放射線センサは、光電変換素子と前記光電変換素子の一端に接続するスイッチング素子とを有する前記画素が行列状に配置されており、かつ前記光電変換素子からの電気信号を読み出す信号線と、前記光電変換素子の他端に接続し前記放射線センサに対する放射線の照射を検知する検知部と、を更に有し、
前記制御手段は、前記指示信号の受信に応じて前記検知部を制御することにより前記放射線センサに対する放射線の照射を検知する機能を休止状態とすることを特徴とする請求項１または２に記載の制御装置。
【請求項８】
前記放射線センサは、複数の光電変換素子を有する光検出アレイと、前記複数の光電変換素子のそれぞれにバイアス電源からの電圧を供給するバイアス線と、前記複数の光電変換素子の夫々に接続するスイッチング素子と、前記スイッチング素子を介して前記複数の光電変換素子と接続する列信号線と、を有し、
前記制御手段は、
周期的な空読み動作中における前記バイアス線を流れる電流に対応する信号値を生成し、
前記信号値に基づいて前記スイッチング素子をオフ状態とする駆動回路と、
前記列信号線を介して得られる画像信号に基づいて放射線画像データを得る読み出し回路と、を更に有することを特徴とする請求項１または２に記載の制御装置。
【請求項９】
放射線撮影装置であって、
放射線の照射により電荷を得る複数の画素が配置された放射線センサと、
放射線の照射に応じて撮像を開始するための駆動を実行させるとともに、前記駆動の開始から第一の時間が経過することに応じて前記駆動を中止する制御手段と、
外部から所定の指示信号を受け取る受信手段と、を有し、
前記制御手段は、前記所定の指示信号の受信に応じて、前記第一の時間と前記駆動の実行開始から所定の指示信号を受け取るまでの第二の時間との差分に基づき前記放射線センサの状態を制御するように構成されていることを特徴とする放射線撮影装置。
【請求項１０】
放射線撮影システムであって、
請求項９に記載の放射線撮影装置と、
前記放射線撮影装置により得られる放射線画像を受信するコンソールと、
を有することを特徴とする放射線撮影システム。
【請求項１１】
放射線発生部を更に有することを特徴とする請求項１０に記載の放射線撮影システム。
【請求項１２】
放射線を電荷に変換する複数の変換素子が配置された放射線検知手段と、前記放射線検知手段を駆動する駆動手段と、を有する放射線撮影装置であって、
前記放射線検知手段を使用した放射線画像の撮影可能時間から前記放射線検知手段の使用開始からの経過時間の差分を取ることにより取得される撮影可能残り時間が、閾値時間以上であるか判定する判定手段と、
前記判定の結果に応じて、前記放射線検知手段および前記駆動手段の動作状態を制御する制御手段と、
を備えることを特徴とする放射線撮影装置。
【請求項１３】
前記撮影可能残り時間が閾値時間未満と判定された場合、前記制御手段は、前記動作状態として、前記放射線検知手段および前記駆動手段への通電を停止した休止状態にすることを特徴とする請求項１２に記載の放射線撮影装置。
【請求項１４】
前記制御手段は、前記休止状態にした後、前記放射線検知手段への通電を停止した状態とし、かつ、前記駆動手段に通電した撮影準備状態にすることを特徴とする請求項１３に記載の放射線撮影装置。
【請求項１５】
前記撮影可能残り時間が閾値時間以上であると判定された場合、前記制御手段は、前記放射線検知手段および前記駆動手段に通電した撮影可能状態にすることを特徴とする請求項１２または１４に記載の放射線撮影装置。
【請求項１６】
前記撮影可能残り時間が閾値時間未満と判定された場合、前記休止状態に戻した後に閾値時間以上の撮影可能残り時間を確保してから前記放射線検知手段および前記駆動手段に通電した撮影可能状態にするか、すぐに前記撮影可能状態に動作状態を切替えるかを選択する選択手段を更に備える
ことを特徴とする請求項１３に記載の放射線撮影装置。
【請求項１７】
前記選択手段は、放射線撮影において設定されている撮影手技に応じで前記動作状態を切替えることを特徴とする請求項１６に記載の放射線撮影装置。
【請求項１８】
前記撮影可能残り時間と、前記選択手段に対する指示を受付けるためのユーザインターフェースと、を表示部に表示する表示制御手段を更に備える
ことを特徴とする請求項１６に記載の放射線撮影装置。
【請求項１９】
前記制御手段は、前記休止状態において、前記放射線検知手段に蓄積されている電荷をリセットするための初期化処理を行うことを特徴とする請求項１３に記載の放射線撮影装置。
【請求項２０】
放射線を電荷に変換する複数の変換素子が配置された放射線検知手段と、前記放射線検知手段を駆動する駆動手段と、を有する放射線撮影装置の制御方法であって、
前記放射線検知手段を使用した放射線画像の撮影可能時間から前記放射線検知手段の使用開始からの経過時間の差分を取ることにより取得される撮影可能残り時間が、閾値時間以上であるか判定する判定工程と、
前記判定の結果に応じて、前記放射線検知手段および前記駆動手段の動作状態を制御する制御工程と、
を有することを特徴とする放射線撮影装置の制御方法。
【請求項２１】
コンピュータを、請求項１２乃至１９のいずれか１項に記載の放射線撮影装置の各手段として機能させるためのプログラム。
【手続補正２】
【補正対象書類名】明細書
【補正対象項目名】発明の名称
【補正方法】変更
【補正の内容】
【発明の名称】制御装置、放射線撮影装置、放射線撮影システム、放射線撮影装置の制御方法およびプログラム
【手続補正３】
【補正対象書類名】明細書
【補正対象項目名】０００１
【補正方法】変更
【補正の内容】
【０００１】
本発明は、制御装置、放射線撮影装置、放射線撮影システム、放射線撮影装置の制御方法およびプログラムに関するものである。
【手続補正４】
【補正対象書類名】明細書
【補正対象項目名】００１０
【補正方法】変更
【補正の内容】
【００１０】
上記の目的を達成する本発明の一つの側面に係る放射線撮影装置は、放射線を電荷に変換する複数の変換素子が配置された放射線検知手段と、前記放射線検知手段を駆動する駆動手段と、を有する放射線撮影装置であって、
前記放射線検知手段を使用した放射線画像の撮影可能時間から前記放射線検知手段の使用開始からの経過時間の差分を取ることにより取得される撮影可能残り時間が、閾値時間以上であるか判定する判定手段と、
前記判定の結果に応じて、前記放射線検知手段および前記駆動手段の動作状態を制御する制御手段と、
を備えることを特徴とする。
また、本発明の他の側面に係る制御装置は、放射線の照射により電荷を得る複数の画素が配置された放射線センサの制御装置であって、
放射線の照射に応じて撮像を開始するための駆動を実行させるとともに、前記駆動の開始から第一の時間が経過することに応じて前記駆動を中止する制御手段と、
外部から所定の指示信号を受け取る受信手段と、を有し、
前記制御手段は、前記所定の指示信号の受信に応じて,前記第一の時間と前記駆動の実行開始から所定の指示信号を受け取るまでの第二の時間との差分に基づき前記放射線センサの状態を制御するように構成されていることを特徴とする。